(57)【要約】  本発明は、容器２、特に、ソフトチューブを押すことによって供給される、液体または糊状の製品１０を含むソフトチューブの上端に配置される供給および閉鎖システム１に関する。本発明は、システム１が、同軸の２つの要素４、５を備えるバルブ３から成り、２つの要素うち、一方の要素４は、移動可能な円筒状の供給バルブを形成し、他方の要素５は、チューブ２へ連結する板７から広がる円筒状本体６を形成することを特徴としている。２つの要素４、５は、製品１０が通過する、２つの要素間にある環状の穴９を決める。手動圧力Ｆ１、Ｆ２がチューブへ作用する時に、伸縮性の復元部１１に対応して環状の穴９を開かせる供給バルブ４に、製品１０が直接作用することにより、製品１０がチューブから出られる。圧力が緩和している時に、供給バルブ４が自動的に閉じ、すでに供給された製品１０がチューブの内部へ戻るのを防ぎ、戻るのを不可能にする。
2005511430.tif 000002
【特許請求の範囲】
【請求項１】
容器２、特に、チューブを押すことで供給される液体または糊状の製品を含むソフトチューブ、の端に配置される供給および閉鎖システム１であり、
同軸の２つの要素４、５を有するバルブ３から成り、
一方の要素４は、移動可能な円筒状の供給バルブを形成し、中心上部において周辺の台座を決める開口部６を備え、
他方の要素５は、チューブ２へ連結する板７から広がる円筒状本体を形成し、
上記円筒状本体５の閉鎖上端８は、２つの密閉領域２９、３１を用いた移動可能な供給バルブ４の台座６を用いて、閉鎖部に作用可能であり、
上記２つの要素４、５は、手動圧力Ｆ１、Ｆ２がチューブ２へ作用する時に製品１０が通過する、２つの要素間にある環状の穴９を決め、
上記供給バルブ４は、結果として、伸縮性の復元部１１に対応して環状の穴９を開かせるように、製品１０に直接作用され、
２重のシールが備えられ、
上記２重のシールは、周辺部の第一穴縁２９と、第二穴縁３１とを組み合わせることにより、バルブ３の開口部／閉鎖部領域において得られ、
上記第二穴縁３１もまた周辺部で、第一穴縁から離れて形成され、
上記穴縁２９と３１とが２重の閉鎖部を形成することにより、閉鎖部で、すでに排出された製品が戻ることが無く、２つの穴縁の間にある物質の残余物が外へ出るシステム。
【請求項２】
上記周辺部の第一穴縁２９は、連結板７の円筒状本体５の端における対応領域で軸方向動作が起きるように、移動可能な板４の台座６に形成され、
上記第二穴縁３１もまた周辺部で形成され、連結板７の円筒状本体５における軸部で放射方向動作が起きるように、供給バルブ４の台座６から移動開始し、
上記の穴縁２９、３１は、時間的にずれる、請求項１に記載のシステム。
【請求項３】
円筒状の上記移動可能な供給バルブ４が、上記システムに蓋をする円筒状のキャップ１３とチューブ２の端１２に一体化している連結板７の本体５との間で軸方向に滑走するように、搭載され、
上記キャップ１３は、上部で、両端が空いている円筒状の第一外穴１４を備え、
上記供給バルブ４の第一円筒部１５が、開閉時に滑走できるように導かれる、請求項１または２に記載のシステム。
【請求項４】
上記移動可能な供給バルブ４が、第一円筒部１５と同軸の、導くための第二円筒部１６を備え、
上記第二円筒部１６は、供給バルブ４の第一円筒部の下部領域から広がる底枠１７の周辺部に形成され、
上記底枠１７は、供給バルブ４の第一円筒部１５の下部から広がるとともに、キャップ１３の内部の、下部のみが開いている第二穴１８に接触する、請求項３に記載のシステム。
【請求項５】
上記移動可能な供給バルブ４の導くための第二円筒部１６が、供給バルブ４が機能するとき、漏れの無いことを保証するために、キャップ１３の第二穴１８に摩擦接触する下部の穴縁２０と上部の穴縁１９とを備える、請求項４に記載のシステム。
【請求項６】
上記キャップ１３の壁は、キャップの内部の第二穴１８を決めるとともに、連結板７の隆起端２２に固定的に相互作用する周辺端部２１が形成されるように下部が広がっており、
上記隆起端２２は、下部で連結板７から広がる円筒スリーブ２３の上領域から広がる枠によって形成され、
上記スリーブ２３は、キャップ１３が蓋をするチューブ２の上端１２に固定的に相互作用する、請求項４または５に記載のシステム。
【請求項７】
上記連結板７は、周辺の第一隆起端２２と固定された円筒状本体５との間に同軸に形成される第二隆起端２４を備え、
上記第二隆起端２４は、閉鎖に作用する移動可能な供給バルブ４のための下部停止部を形成し、
上記キャップ１３の第一穴１４の下端部２５は、閉鎖に作用する供給バルブ４のための上部停止部を形成する、請求項６に記載のシステム。
【請求項８】
上記移動可能な供給バルブ４のための、上記供給バルブの内部分と固定キャップ１３の内部分との間に挿入される、伸縮性の復元部１１を備える、請求項１〜７のいずれか１項に記載のシステム。
【請求項９】
上記伸縮性の復元部１１は、全く同じ角度で間隔を空ける複数の放射状アーム２７を広げるワッシャー２６から成り、
上記ワッシャー２６は、キャップ１３の内段部２８に固定される方法で配置され、
一方、上記アーム２７は、底枠７を、開後、自動的に閉鎖部位へ戻すように、移動可能な供給バルブ４の底枠７上に位置する、請求項８に記載のシステム。
【請求項１０】
上記伸縮性の復元部１１は、キャップ１３の内部分で形成されることで得られる、全く同じ角度で間隔を空ける複数の放射状アーム２７で形成され、
上記アーム２７は、底枠１７を、開後、自動的に閉鎖部位へ戻すように、移動可能な供給バルブ４の底枠１７上に位置する、請求項８に記載のシステム。
【請求項１１】
上記連結板７の下部に形成される端部３２から成る空気取り入れ装置を備え、
上記空気取り入れ装置の内部には、抗菌性の多孔性フィルターが配置される（図示しない）、請求項１〜１０のいずれか１項に記載のシステム。
【請求項１２】
閉鎖カバー（図示していない）を備え、
上記閉鎖カバーの内部軸受け領域は、開口部を閉じるように、圧縮してバルブ３の上端に接触する、請求項１〜１１のいずれか１項に記載のシステム。
【請求項１３】
上記移動可能な供給バルブ４、連結板７、キャップ１３、伸縮性の復元部１１、チューブ２、およびカバー（図示しない）は、樹脂成型によって得られる、請求項１〜１２のいずれか１項に記載のシステム。
【請求項１４】
上記供給システムの部分、すなわち、移動可能な供給バルブ４、連結板７、キャップ１３、伸縮性の復元部１１、およびカバー（図示しない）は、銀イオンを含む樹脂から得られる、請求項１３に記載のシステム。
【発明の詳細な説明】
【発明の詳細な説明】
【０００１】
本発明は、容器、特に、ソフトチューブを押すことによって供給される、液体または糊状の製品を含むソフトチューブの端に配置される供給および閉鎖システムに関するものである。
【０００２】
美容学または皮膚病学のような分野において、チューブまたは瓶に含まれる製品を無菌に保持することは不可欠である。
【０００３】
それゆえに、抗菌性の防腐剤を、例えば、クリーム、ジェル、または乳液のような液体または糊状の製品へ入れることが知られている。
【０００４】
これにより、上記製品の品質または匂いといった、外観への危険を及ぼす、細菌性の製品劣化を防止できる。そのため、製品の化学構成へ防腐剤を混合する。
【０００５】
しかしながら、これらの防腐剤は、時々皮膚病のアレルギーを引き起こす。
【０００６】
防腐剤のようなものを用いず、空気の無い供給システムを用いて製品を保護することにより、皮膚病のアレルギーの問題を解決することが知られている。
【０００７】
空気の無いシステムは、物質がポンプによって供給されるように、圧力差によって動作するポーチまたはピストンを用いて容量が可変である容器に搭載されるポンプを備える。
【０００８】
しかしながら、そんな装置は、約１０個という多量の部品を用いて製造され組み立てられる必要があるなど、非常に複雑である。
【０００９】
また、変質可能な細胞膜が伸縮自在に末端部の閉鎖を行うシステムが知られている。しかし、これらには、開口部の大きさと物質の伸縮性とを調節することにより生じる気密性の欠点がある。
【００１０】
さらに、供給ヘッドにおいてデッドスペースを形成する製品残余物の問題がある。この残余物は、もはや細菌に対して保護されない。
【００１１】
この問題を改善するために、薬剤のまたは化粧品に適用されるための、ポンプに取り付けられたバルブが端部を閉鎖するような端閉鎖が知られている。
【００１２】
また、抗菌性の保護を支持するために、箇体を形成する樹脂に、さらに特別に供給ヘッドに、特別な機能を有する銀イオンを混ぜることが知られている。特別な機能とは、細菌を、銀イオンで充たされた上記樹脂の表面に接触させて、移動させず破壊することである。
【００１３】
銀イオンを混ぜる場合において、抗菌性の作用は、中心部では影響せず、容器の表面への密接な接触によってのみ影響するようになる。
【００１４】
実際には、本発明は、ヘッド保護機構に関して、これらの欠点全てを、すなわち（空気の無い）ポンプと同等の水準で改善するために提案されるものである。
【００１５】
この目的を達成するために、本発明は、伸縮自在に変形可能な容器、特に、チューブを押すことにより供給される液体または糊状の製品を含むソフトチューブの端に配置される供給および閉鎖システムに関する。上記チューブは、同軸の、２つの要素を備えるバルブから成る。一方の要素は、移動可能な円筒状の供給バルブを形成する。供給バルブは、中心上部において、周辺の台座を決める開口部を備える。他方の要素は、チューブへ連結する板から広がる円筒状本体を形成する。上記の円筒状本体の閉鎖上端は、上記移動可能な供給バルブの部により、閉鎖部に作用する。２つの要素は、手動圧力がチューブへ作用する時に製品が通過する、２つの要素間にある環状の穴を特徴とする。結果として、伸縮性の復元部に対応して環状の穴を開かせる供給バルブに、製品が直接作用する。そのため、手動圧力がチューブへ作用するときに、供給バルブが製品をチューブから出られるようにし、圧力が緩和している時に開口部が自動的に閉じ、すでに排出された製品が元に戻るのを不可能にする。
【００１６】
本発明に関する特徴は、また、後述において明白になり、組み合わせ可能な技術の全てにおいて、または分離において考慮される。
【００１７】
この記述は、限定されない例を用いて与えられる。この記述により、以下の付加した図面を参照にして、本発明がどのように実行されるかを容易に理解できるだろう。
【００１８】
図１は、ソフトチューブに取り付けられた、本発明による供給システムの分解組み立て透視図である。
【００１９】
図２は、図１のシステムの、分解組み立て平面図である。
【００２０】
図３は、図１および図２のシステムの、組み立て後の閉鎖状態の図である。
【００２１】
図４は、図１および図２のシステムの、組み立て後の開口状態の図である。
【００２２】
図５は、細部Ａの、拡大スケールでの図である。
【００２３】
供給システム１は、図において総合部分を意味し、容器２の端に配置される。供給システム１は、この例において、チューブ２を押すことで供給される糊状の製品を含む柔軟性のあるチューブ、または瓶である。
【００２４】
本発明によると、システム１は、同軸の２つの要素４、５を備えるバルブ３から成る。２つの要素うち、一方の要素４は、移動可能な円筒状の供給バルブを形成する。供給バルブは、中心上部において、周辺の台座を決める開口部６を備える。他方の要素５は、チューブ２へ連結する板７から広がる円筒状本体６を形成する。円筒状本体５の閉鎖上端８は、２つの密閉領域２９、３１を用いた移動可能な供給バルブ４の台座６により、閉鎖部に作用する。２つの要素４、５は、手動圧力Ｆ１、Ｆ２がチューブ２へ作用する時に製品１０が通過する、２つの要素間にある環状の穴９を決める。結果として、伸縮性の復元部１１に対応して環状の穴９を開かせる供給バルブ４に、製品１０が直接作用する。このようにして、手動圧力Ｆ１、Ｆ２がチューブ２へ作用するときに、供給バルブ４が製品１０をチューブから出られるようにし、圧力が緩和している時に開口部６が自動的に閉じ、すでに排出された製品１０が元に戻るのを不可能にする。
【００２５】
示した本発明の実施の形態において、移動可能な供給バルブ４の台座を形成する開口部６は円錐台状である。しかし、もちろん、球状の部分、または、その他の円錐状または円筒状の形を有する部分で形成されていてもよい。
【００２６】
図に明示されるように、移動可能な円筒状の供給バルブ４は、連結板７の本体５と上記システムに蓋をする円筒キャップ１３との間の軸方向に滑走するように搭載される。連結板７は、チューブ２の端１２と一体化している。また供給バルブ４は、チューブ２と一体化している。キャップ１３は、上部に、第一の円筒状の外穴１４を備える。外穴１４は、両端が開いている。供給バルブ４の第一円筒部１５は、開または閉時に滑走できるように導かれる。
【００２７】
また、移動可能な供給バルブ４は、第一円筒部１５と同軸の、導くための第二円筒部１６を備える。第二円筒部１６は、底枠１７の周辺部に形成される。底枠１７は、供給バルブ４の第一円筒部１５の下部から広がるとともに、キャップ１３の内部の、下部のみが開いている第二穴１８に接触する。
【００２８】
図３および図４に示されるように、供給バルブ４が開口状態から閉鎖状態において機能するときに漏れの無いことを保証するために、移動可能な供給バルブ４の第二円筒ガイド部１６は、キャップ１３の第二穴１８に摩擦接触する下部穴縁２０と上部穴縁１９とを備える。
【００２９】
本発明の他の特徴によると、連結板７の隆起端２２に固定的に相互作用する周辺端部２１が形成されるように、キャップの内部の第二穴１８を決めるキャップ１３の壁は、下部が広がっている。隆起端２２は、下部で連結板７から広がる円筒スリーブ２３の上領域から広がる枠によって形成される。スリーブ２３は、キャップ１３が蓋をするチューブ２の上端１２に固定的に相互作用する。
【００３０】
実際には、チューブ２へ連結されるシステム１は、全体部分が破壊されることのない構成であることにより、無菌および所望の密閉性を保つ。
【００３１】
さらに、連結板７は、周辺の第一隆起端２２と固定された円筒状本体５との間に同軸に形成される第二隆起端２４を備え、第二隆起端２４は閉鎖に作用する移動可能な供給バルブ４のための下部停止部を形成する。キャップ１３の第一穴１４の下端部２５は、閉鎖に作用する供給バルブ４のための上部停止部を形成する。
【００３２】
本発明の他の特徴点によると、移動可能な供給バルブ４のための伸縮性の復元部１１が、供給バルブとキャップ１３の内部分との間に挿入される。
【００３３】
示した本発明の実施の形態において、伸縮性の復元部１１は、全く同じ角度で間隔を空ける複数の放射状アーム２７を広げるワッシャー２６から成る。ワッシャー２６は、キャップ１３の内段部２８に固定される方法で、配置される。一方、アーム２７は、底枠７を、開後、自動的に閉鎖部位へ戻すように、移動可能な供給バルブ４の底枠７上に位置する。
【００３４】
もちろん、図示しないが、伸縮性の復元部１１は、キャップ１３の内部分で形成されることで得られる、全く同じ角度で間隔を空ける複数の放射状アーム２７で形成されていてもよい。アーム２７は、底枠１７を、開後、自動的に閉鎖部位へ戻すように、移動可能な供給バルブ４の底枠１７上に位置する。
【００３５】
いずれにしても、伸縮性の復元部は、異なる形状で用いられてもよく、異なる物質で構成されていてもよいが、ばね機能を充たすことが可能でなければならない。
【００３６】
本発明の他の特徴点によると、特に図５において明らかに、周辺部の第一穴縁２９を組み合わせることで、二重シールがバルブ３の開／閉領域で得られる。第一穴縁２９は、第二穴縁３１と連結板７の円筒状本体５の端８とにおける対応領域で軸方向の動作が起きるように、復元可能な供給バルブ４の台座６上に形成される。第二穴縁３１もまた、周辺に形成され、また、連結板７の円筒状本体５における軸部で放射方向の動作が起きるように、第一穴縁２９から離れた位置で、移動可能な供給バルブ４の台座６から移動開始する。
【００３７】
実際には、穴縁２９、３１は、２重の閉鎖を形成し、各穴縁は、閉鎖部で、２つの穴縁の間に位置する物質の残余物を外側に追い出すように、時間的にずれる。
【００３８】
本発明の他の特徴点によると、上記システムは、連結板７の下部に形成される端部３２から成る空気取り入れ装置を備える。空気取り入れ装置の内部には、抗菌性の多孔性フィルターが配置される（図示しない）。
【００３９】
この空気取り入れ装置により、チューブを初期形状に戻すことができ、細菌を取り込むこと無しに中身を出す速度を改善できる。
【００４０】
一方、多孔性フィルターは、空気を、キャップの外部から物質１０を含む供給バルブ４と連結板７との間に位置する中間領域の方へ、つまりチューブの内部の方へ取り入れ可能にする。他方、多孔性フィルターは、外部からの細菌が内部へ浸透することを防止するとともに、製品１０が内部から外部へ抜けることを可能にする。
【００４１】
図示していないが、上記システムは、内部軸受け領域が開口部を閉じるように、圧縮してバルブ３の上端に接触する閉鎖カバーを備えていてもよい。
【００４２】
このカバーは、閉鎖部位の内へ関節でつながれていてもよいし、または、ねじ止めされていてもよい。また、このカバーは、軸受け領域の効力により、製品１０が出ることを引き起こす可能性のある不適切な併進運動を防止できる。
【００４３】
移動可能な供給バルブ４、連結板７、キャップ１３、伸縮性の復元部１１、チューブ２、およびカバー（図示しない）は、樹脂成型によって得られることが好ましい。
【００４４】
伸縮性の復元部１１に関しては、ガラスファイバーまたはポリアセタールを用いてポリプロピレン、または、ばね機能を保証するのに適した機械的特徴を有するその他の物質を成型することによって得られることが好ましい。
【００４５】
チューブ２に関しては、従来の方法において、伸縮しないまたは伸縮性の変形による、可塑性の特徴をチューブ２に与える樹脂から形成される。
【００４６】
上記したような理由から、供給システムの全ての部分、すなわち、移動可能な供給バルブ４、連結板７、キャップ１３、伸縮性の復元部１１、およびカバー（図示しない）は、銀イオンを含む樹脂から得られる。
【００４７】
これにより、物質の残余物の膜上で細菌の増殖がないことを保証できる。
【００４８】
本発明によるシステムを、γ放射およびβ放射を用いて抗菌することが可能である。
【００４９】
また、γ放射およびβ放射を用いたシステムは、ユーザがチューブへ加える圧力を用いて単純に動作する変形不可能な機械的システムであり、チューブは、伸縮しながら、または伸縮せずに変形できることは注意すべき点である。
【００５０】
本発明によるシステムは、４つだけ、またはちょうど３つの部分から形成され、抗菌性という目的を開口部と閉鎖部とに与える。上記システムは、回収されない供給バルブを用いて機能する。上記システムは、ピストン上で製品が押し出ることにより開き、伸縮性の復元部１１に対応し、供給バルブ４が垂直方向に併進移動した後の周辺の通路を形成することにより開口部をきれいにする効果を有する。
【００５１】
さらに、チューブ２の圧力Ｆ１、Ｆ２が緩和するとすぐに、再度バルブ３が自動的に閉じるために、デッドスペースはもはや存在不可能である。
【００５２】
その時、上述したように、穴縁２９と３１とを構成する２つの閉鎖部間で時間的にずれることにより、上記穴縁の間に位置する物質の残余物を外部へ追い出すことができる。
【００５３】
つまり、全ての製品抗菌性は、以下の理由により得られる。
【００５４】
物質が戻らないこと
空気の取り入れが無いこと、または、空気の取り入れがある場合は抗菌性の多孔性フィルターによる細菌の侵入防止を用いること
機械的な２重シールがあること
樹脂内へ組み込まれる銀イオンを用いて、所定の位置で静菌性の保護が行われること
【図面の簡単な説明】
【００５５】
【図１】ソフトチューブに取り付けられた、本発明による供給システムの分解組み立て透視図である。
【図２】図１のシステムの、分解組み立て平面図である。
【図３】図１および図２のシステムの、組み立て後の閉鎖状態の図である。
【図４】図１および図２のシステムの、組み立て後の開口状態の図である。
【図５】細部Ａの、拡大スケールでの図である。
【図１】
2005511430.tif 000003
【図２】
2005511430.tif 000004
【図３】
2005511430.tif 000005
【図４】
2005511430.tif 000006
【図５】
2005511430.tif 000007
【国際調査報告】
2005511430.tif 000008
2005511430.tif 000009
2005511430.tif 000010
2005511430.tif 000011